(57)【要約】【課題】  肩甲骨を大きく動かす体の動きには機能を十分に発揮できない欠点を解消するための運動追随性ブラジャー。【解決手段】  左右１対のカップ部、カップ部の下部に位置するカップ台、及び脇布を含み、カップ台同士は縫合されずに独立した状態で遊離し、脇布は背部布を介して連結され、脇布に一端が連結された肩紐の他端同士が背部布にＶ字状に縫合され、背部布の上縁に沿ってテープが縫合され、テープのそれぞれの一端は肩紐のＶ字縫合部近傍に、それぞれの他端は脇布に縫合されずにカップ台の両側の端部と縫合されている運動追随性ブラジャー。【選択図】  図１
2018193644.tif 000002
【特許請求の範囲】
【請求項１】
左右１対のカップ部、前記カップ部の下部に位置する２枚のカップ台、及び左右２枚の脇布を含み、
前記左右２枚のカップ台が、前記右カップ部の下縁部と前記左右２枚の脇布が縫合されてなる前記右カップ台及び、前記左カップ部の下縁部と前記左右２枚の脇布に縫合されてなる前記左カップ台であり、前記右カップ台と前記左カップ台は縫合されておらず、それぞれ独立した状態で遊離し、
前記左右２枚の脇布同士が１枚の背部布を介して連結され、前記左右２枚の脇布のそれぞれに一端が連結された２本の肩紐の他端同士が前記背部布にＶ字状に一体的に縫合されており、
前記背部布の上縁に沿って、帯状の２本のテープが縫合され、前記２本のテープのそれぞれの一端は前記２本の肩紐のそれぞれのＶ字縫合部近傍に縫合され、それぞれの他端は前記左右２枚の脇布それぞれに縫合されることなく、前記左右２枚のカップ台の始端部と縫合され、前記２本のテープと前記左右２枚の脇布の間に隙間が設けられていることを特徴とする運動追随性ブラジャー。
【請求項２】
前記右カップ台と前記左カップ台がＸ字状に交差しており、前中心に隙間が設けられていることを特徴とする請求項１に記載の運動追随性ブラジャー。
【請求項３】
前記２枚のカップ台、前記２本の肩紐及び前記２本のテープが伸縮性の素材からなることを特徴とする請求項１又は請求項２のいずれか一項に記載の運動追随性ブラジャー。
【発明の詳細な説明】
【技術分野】
【０００１】
本発明は、運動追随性ブラジャーに関する。更に詳しくは、使用者が運動状態にあるときのみならず、静止状態にあるときも体にぴったりと適合することができ、またブラジャーにかかる力の負担を分散することで、肩甲骨の動きを妨げず、人体の動きにスムーズに対応できる、着用性に優れたブラジャーに関するものである。
【背景技術】
【０００２】
従来、ブラジャーに関して、特許文献１に記載されたものが知られている。図１１は従来のブラジャーの一例を示す平面説明図である。このものは、腕を上下や前後に動かしたり、体を捩じらせたり、胸部を捩じらせる上半身の運動を要する通常の家事労働の際に、カップ部（２２Ａ，２２Ｂ）が人体の動きにスムーズに対応して、カップ部（２２Ａ，２２Ｂ）と乳房の位置がずれることを防ぐ、着用性に優れたブラジャー（２１）を提供することを課題とし、この課題を左右１対のカップ部（２２Ａ，２２Ｂ）、該カップ部（２２Ａ，２２Ｂ）の下部に位置する２枚のカップ台（２３Ａ，２３Ｂ）、及び左右２枚の脇布（２４Ａ，２４Ｂ）からなるブラジャー（２１）であって、前記２枚のカップ台（２３Ａ，２３Ｂ）が、右カップ部（２２Ａ）の下縁部と左右２枚の脇布（２４Ａ，２４Ｂ）に縫合されてなる右カップ台（２３Ａ）及び、左カップ部（２２Ｂ）の下縁部と左右２枚の脇布（２４Ａ，２４Ｂ）に縫合されてなる左カップ台（２３Ｂ）であり、該右カップ台（２３Ａ）と該左カップ台（２３Ｂ）は縫合されておらず、それぞれ独立した状態で遊離していることを要件とすることで解決している。さらに特許文献１のブラジャー（２１）では、左右２枚のカップ台（２３Ａ，２３Ｂ）を重ねた際に、ブラジャー（２１）の前中心に隙間（２６）が形成されるように、左右２枚のカップ台（２３Ａ，２３Ｂ）の寸法を決めている。
【０００３】
しかし、特許文献１は、左右のカップ台と背部布を連動させるという発想自体がなく、左右２枚の脇布は左右２枚のカップ部の上縁部と左右２枚のカップ台の始端部とを隙間なく縫合しているので、伸びや引っ張り力を逃がすことが出来ず、また２本の肩紐（２５）が肩甲骨周辺に位置しているので、肩甲骨の動きを妨げるという問題があった。
【０００４】
したがって、従来のブラジャーは、通常の家事労働には対応できるが、スポーツやトレーニング等の肩甲骨を大きく動かす体の動きには機能を十分に発揮できないという欠点があった。
【先行技術文献】
【特許文献】
【０００５】
【特許文献１】特許第３３７３７９３号公報
【発明の概要】
【発明が解決しようとする課題】
【０００６】
しかし、従来のブラジャー（とりわけ、特許文献１のもの）には、通常の家事労働には対応できるが、スポーツやトレーニング等の肩甲骨を大きく動かす体の動きには機能を十分に発揮できないという欠点がある。
【課題を解決するための手段】
【０００７】
本発明は、ブラジャーが通常の家事労働には対応できるが、スポーツやトレーニング等の肩甲骨を大きく動かす体の様々な動きには機能を十分に発揮できないという欠点を解消することを目的とするものである。
【０００８】
本発明の第１の態様は、左右１対のカップ部、前記カップ部の下部に位置する２枚のカップ台、及び左右２枚の脇布を含み、前記２枚のカップ台が、前記右カップ部の下縁部と前記左右２枚の脇布が縫合されてなる前記右カップ台及び、前記左カップ部の下縁部と前記左右２枚の脇布に縫合されてなる前記左カップ台であり、前記右カップ台と前記左カップ台は縫合されておらず、それぞれ独立した状態で遊離し、前記左右２枚の脇布同士が１枚の背部布を介して連結され、前記左右２枚の脇布のそれぞれに一端が連結された２本の肩紐の他端同士が前記背部布にＶ字状に一体的に縫合されており、前記背部布の上縁に沿って、帯状の２本のテープが縫合され、前記２本のテープのそれぞれの一端は前記２本の肩紐のそれぞれのＶ字縫合部近傍に縫合され、それぞれの他端は前記左右２枚の脇布それぞれに縫合されることなく、前記２枚のカップ台の始端部と縫合され、前記２本のテープと前記左右２枚の脇布の間に隙間が設けられていることを備えている請求項１に記載の運動追随性ブラジャーに関する。
【０００９】
本発明の第２の態様は、前記右カップ台と前記左カップ台がＸ字状に交差しており、前中心に隙間が設けられていることを特徴とする請求項２に記載の運動追随性ブラジャーに関する。
【００１０】
本発明の第３の態様は、前記２枚のカップ台、前記２本の肩紐及び前記２本のテープが伸縮性の素材からなることを特徴とする請求項３に記載の運動追随性ブラジャーに関する。
【発明の効果】
【００１１】
本発明の請求項１によれば、前記左右１対のカップ部、前記カップ部の下部に位置する前記２枚のカップ台、及び前記左右２枚の脇布を含み、前記２枚のカップ台が、前記右カップ部の下縁部と前記左右２枚の脇布が縫合されてなる前記右カップ台及び、前記左カップ部の下縁部と前記左右２枚の脇布に縫合されてなる前記左カップ台であり、前記右カップ台と前記左カップ台は縫合されておらず、それぞれ独立した状態で遊離し、前記左右２枚の脇布同士が１枚の前記背部布を介して連結され、前記左右２枚の脇布のそれぞれに一端が連結された前記２本の肩紐の他端同士が前記背部布にＶ字状に一体的に縫合されており、前記背部布の上縁に沿って、帯状の前記２本のテープが縫合され、前記２本のテープのそれぞれの一端は前記２本の肩紐のそれぞれの前記Ｖ字縫合部近傍に縫合され、それぞれの他端は前記左右２枚の脇布それぞれに縫合されることなく、前記２枚のカップ台の始端部と縫合され、前記２本のテープと前記左右２枚の脇布の間に隙間が設けられていることを構成要件としていることから、以下のような効果を奏する。
【００１２】
スポーツやトレーニング等に使う肩甲骨の中心に前記２本の肩紐が沿うように構成されており、前記２本の肩紐と前記２本のテープは３箇所で交差していることによって、肩、脇、背筋、ブラジャーのアンダー等にかかる力の負担をそれぞれが交差する位置で分散させることで、人体の動きにスムーズに対応でき、着用性においても優れた効果を奏する。
また、前記２本のテープが前記２枚のカップ台と縫合されていることで、脇から背中心方向に伸びるので、静止状態にあるときも体にぴったりと適合するこという優れた効果も奏する。
【００１３】
更に、請求項１によれば、それぞれの他端は前記左右２枚の脇布それぞれに縫合されることなく、前記２枚のカップ台の始端部と縫合されることで、前記２本のテープと前記左右２枚の脇布の間に隙間が設けられてなることを構成要件としていることから、以下のような効果を奏する。
【００１４】
例えば、前記２本のテープのそれぞれの一端を前記左右２枚の脇布と縫合すると、前記２本のテープから伸びや引っ張り力を前記２枚のカップ台に伝えることができず、力の負担を分散させることができない。しかし、前記２本のテープのそれぞれの一端が前記２枚のカップ台と直接縫合されることで、前記２本のテープと前記左右２枚の脇布の間に隙間が設けられ、伸縮作用を十分に発揮できるので、前記２本のテープのそれぞれの一端から交差している３箇所に伸びや引っ張り力を分散させることができ、そして人体の動きにスムーズに対応する、着用性においても優れた効果を奏する。
【００１５】
本発明の請求項２によれば、前記右カップ台と前記左カップ台がＸ字状に交差しており、前中心に隙間が設けられていることを構成要件としていることから、以下のような効果を奏する。
【００１６】
前記左右１対のカップ部の下部に前記２枚のカップ台が位置していることにより、前記２枚のカップ台の部分は生地が二重になるため、ブラジャーの保持力が高く、ブラジャーの身体への安定性を高めることができる。また、前記右カップ台は前記右カップ部の下縁部と前記左右２枚の脇布に縫合されており、前記左カップ台は前記左カップ部の下縁部と前記左右２枚の脇布に縫合されているので、前記右カップ台と前記左カップ台は縫合されず、それぞれ独立した状態で遊離することとなる。従って、前記２枚のカップ部が融通性を有しており、腕を上下や前後に動かしたり、体を捩じらせたりする際や家事などの通常の運動時に、人体の動きにスムーズに対応できるので、前記左右１対のカップ部と乳房の位置がずれることはない。つまり静止状態では、ブラジャーは前記２枚のカップ台により体に安定して固定されており、通常の家事労働の際には、前記２枚のカップ台が乳房の動きに追随して前記左右１対のカップ部と乳房の位置ずれを防ぐことができるので、着用性において優れた効果を奏する。
【００１７】
本発明の請求項３によれば、前記２枚のカップ台、前記２本の肩紐及び前記２本のテープが伸縮性の素材からなることを構成要件としているので、前記左右１対のカップ部の融通性をより高めるという優れた効果を奏する。
【図面の簡単な説明】
【００１８】
【図１】本発明の一実施形態に係る運動追随性ブラジャーの正面図である。
【図２】図１の運動追随性ブラジャーの背面図である。
【図３】図１の運動追随性ブラジャーの一部省略斜視図である。
【図４】（ａ）は図１の要部を示す部分斜視図であり、（ｂ）は図３の運動追随性ブラジャーにおける脇布と肩紐とテープの関係性を示す要部説明図である。
【図５】図１の運動追随性ブラジャーを体に装着した状態の背面図である。
【図６】（ａ）は通常時（静止状態）にある体における肩甲骨と鎖骨及び上腕骨との位置関係を示す説明図であり、（ｂ）は腕を上げたときの肩甲骨と鎖骨及び上腕骨との位置関係を示す説明図である。
【図７】図１の運動追随性ブラジャーを体に装着した際の肩甲骨の動きに対する追随性を示す図であり、（ａ）は腕を上げたときの肩甲骨と鎖骨及び上腕骨との位置関係を示す説明図であり、（ｂ）は（ａ）の状態にあるときの肩紐とテープにかかる力の分散方向を示す図である。
【図８】本発明の他の実施形態に係る運動追随性ブラジャーを体に装着した状態の背面図である。
【図９】（ａ）は図１の運動追随性ブラジャーに適用される２枚のカップ台のうちの一つを示す平面説明図であり、（ｂ）は２枚のカップ台が重なり合った状態を示す説明図である。
【図１０】背部布に加えられた力と背部布を構成する縦糸と横糸の弾性力の関係を示す説明図である。
【図１１】従来（特許文献１）のブラジャーの一例を示す平面説明図である。
【発明を実施するための形態】
【００１９】
以下、本発明に係る運動追随性ブラジャーについて、図面を参照しつつ、本発明の実施形態について詳細に説明する。
図１は本発明の一実施形態に係る運動追随性ブラジャーの正面図である。図２は図１の運動追随性ブラジャーの背面図である。図３は図１の運動追随性ブラジャーの一部省略斜視図である。図４の（ａ）は図１の要部を示す部分斜視図であり、（ｂ）は図３の運動追随性ブラジャーにおける脇布と肩紐とテープの関係性を示す要部説明図である。図５は図１の運動追随性ブラジャーを体に装着した状態の背面図である。図６の（ａ）は通常時（静止状態）にある体における肩甲骨と鎖骨及び上腕骨との位置関係を示す説明図であり、図６の（ｂ）は腕を上げたときの肩甲骨と鎖骨及び上腕骨との位置関係を示す説明図である。図７は図１の運動追随性ブラジャーを体に装着した際の肩甲骨の動きに対する追随性を示す図であり、図７の（ａ）は腕を上げたときの肩甲骨と鎖骨及び上腕骨との位置関係を示す説明図であり、図７の（ｂ）は（ａ）の状態にあるときの肩紐とテープにかかる力の分散方向を示す図である。図８は本発明の他の実施形態に係る運動追随性ブラジャーを体に装着した状態の背面図である。図９の（ａ）は図１の運動追随性ブラジャーに適用される２枚のカップ台のうちの一つを示す平面説明図であり、図９の（ｂ）は２枚のカップ台が重なり合った状態を示す説明図である。図１０は背部布に加えられた力と背部布を構成する縦糸と横糸の弾性力の関係を示す説明図である。
【００２０】
図１乃至図３を参照すると、本発明に係る運動追随性ブラジャー（１）（以下、単に「ブラジャー（１）」と記載する）は、前記左右１対のカップ部（２Ａ，２Ｂ）、この前記左右１対のカップ部（２Ａ，２Ｂ）の下部に位置する前記２枚のカップ台（３Ａ，３Ｂ）、前記左右２枚の脇布（４Ａ，４Ｂ）、前記２本の肩紐（５Ａ，５Ｂ）、帯状の前記２本のテープ（６Ａ，６Ｂ）、及び背部布（７）からなる。
【００２１】
前記左右１対のカップ部（２Ａ，２Ｂ）はそれぞれ外側の側部（ＯＳ）が前記肩紐（５Ａ，５Ｂ）と縫合され、内側の側部（ＩＳ）はそれぞれ左右１対のカップ部（２Ａ，２Ｂ）同士と互いに縫合されており、下端部は前記２枚のカップ台（３Ａ，３Ｂ）と縫合されている。
【００２２】
前記カップ台（３）はその上縁部が前記カップ部（２）の下縁部の形状と同様に湾曲しており、図１に示すように前記カップ台（３）は２枚存在する。
【００２３】
図１、図２及び図９を参照すると、前記右カップ台（３Ａ）は、その右上縁部（３１）が右カップ部（２Ａ）の下縁部（２ＡＬ）に縫合されており、右側部は右の脇布（４Ａ）に、左側部は左の脇布（４Ｂ）にそれぞれ縫合されている。従って、右上縁部は右カップ部（２Ａ）の下縁部（２ＡＬ）にぴったり沿うように湾曲しており、右カップ部（２Ａ）の下縁部（２ＡＬ）の脇布側の最端から前中心側の端付近にかけて縫合されている。これに対し、左上縁部（３２）と前記左カップ部（２Ｂ）の下縁部（２ＡＬ）にぴったり沿うように湾曲する必要はない。
前記右カップ台（３Ａ）の右上縁部（３１）の長さは特に限定されず、前記右カップ部（２Ａ）の下縁部（２ＡＬ）の長さよりやや短くしても、或いは前記右カップ部（２Ａ）の下縁部（２ＡＬ）の長さと略同じにしてもよい。この右上縁部（３１）の長さによって、左上縁部（３２）の湾曲の程度が変わることとなり、右上縁部（３１）の長さが前記右カップ部（２Ａ）の下縁部（２ＡＬ）の長さよりもやや短い場合には、左上縁部（３２）の湾曲の程度は前記カップ部（２）の下縁部（２ＡＬ）、即ち前記右カップ台（３Ａ）の右上縁部（３１）よりも小さくなる。また右上縁部（３１）の長さが右カップ部（２Ａ）の下縁部（２ＡＬ）の長さと同じ場合には、左上縁部（３２）は前記カップ部（２）の下縁部（２ＡＬ）、即ち前記右カップ台（３Ａ）の右上縁部（３１）と同程度湾曲することとなり、長さも右上縁部（３１）と略同じになる。
【００２４】
一方、前記左カップ台（３Ｂ）はその左上縁部（３２）が前記左カップ部（２Ｂ）の下縁部（２ＡＬ）に縫合されており、右側部は右の脇布（４Ａ）に、左側部は左の脇布（４Ｂ）にそれぞれ縫合されている。従って、左上縁部（３２）は前記左カップ部（２Ｂ）の下縁部（２ＡＬ）にぴったり沿うように湾曲しており、前記左カップ部（２Ｂ）の下縁部（２ＡＬ）の脇布側の最端から前中心側の端付近にかけて縫合されている。これに対し、右上縁部（３１）と前記右カップ部（２Ａ）とは縫合されていないので、右上縁部（３１）は必ずしも前記右カップ部（２Ａ）の下縁部（２ＡＬ）にぴったり沿うように湾曲する必要はない。前記左カップ台（３Ｂ）の左上縁部（３２）や右上縁部（３１）の長さ、湾曲の程度も、前述した前記右カップ台（３Ａ）の場合と同様に、特に限定はされない。つまり、左上縁部（３２）の長さを前記左カップ部（２Ｂ）の下縁部（２ＢＬ）の長さよりやや短くして、右上縁部（３１）の湾曲の程度を前記カップ部（２）の下縁部（２ＡＬ）よりも小さくすることも、或いは、左上縁部（３２）の長さを前記左カップ部（２Ｂ）の下縁部（２ＡＬ）の長さと同じにして、右上縁部（３１）の湾曲の程度を前記カップ部（２）の下縁部（２ＡＬ）と同程度にすることも可能である。
【００２５】
前記カップ台（３）に用いられる素材は特に限定されないが、前記カップ部（２）の融通性を高めるためには、縦横両方向に自在に伸縮する素材を用いるのが好ましい。ブラジャー（１）全体が縦横方向の伸縮性に優れているので、装着感に不自然感がなく、容易に体に馴染むものである。また、前記２本の肩紐（５Ａ，５Ｂ）がずれることがなく常に体にぴったり適合しており、素材の伸縮性によって肩などに負担がかからず、装着感も良好なものとなる。
【００２６】
前記左右２枚の脇布（４Ａ，４Ｂ）のそれぞれに前記背部布（７）の一端が沿うよう縫合されている（図２参照）。また、前記背部布（７）と前記左右２枚の脇布（４Ａ，４Ｂ）は前記２枚のカップ台（３Ａ，３Ｂ）の始端部と一体的に縫合されている（図１参照）。
図２を参照すると、前記左右２枚の脇布（４Ａ，４Ｂ）には前記背部布（７）の一部と前記背部布（７）に縫合されている前記２本のテープ（６Ａ，６Ｂ）のそれぞれの一端が重なっているが、隙間なく縫合されておらず、前記左右２枚の脇布（４Ａ，４Ｂ）は前記２本のテープ（６Ａ，６Ｂ）のそれぞれの一端とは縫合されていない。従って、前記左右２枚の脇布（４Ａ，４Ｂ）が前記２本のテープ（６Ａ，６Ｂ）のそれぞれの一端と縫合されていないことで、前記左右２枚の脇布（４Ａ，４Ｂ）と前記２本のテープ（６Ａ，６Ｂ）の間に隙間（９）が設けられ、前記２本のテープ（６Ａ，６Ｂ）のそれぞれの一端から交差している３箇所に伸びや引っ張り力を分散させることができ、そして人体の動きにスムーズに対応でき、着用性においても優れている。
【００２７】
前記２本の肩紐（５Ａ，５Ｂ）の一端（即ち、ブラジャー（１）のフロントサイド）は、前記左右２枚の脇布（４Ａ，４Ｂ）からブラジャー（１）の本体（即ち、前記左右２枚にカップ部（２Ａ，２Ｂ）の左右外側の側部（ＯＳ））に沿って縫合され、前記２本の肩紐（５Ａ，５Ｂ）の他端同士（即ち、ブラジャー（１）のバックサイドの端部同士）は前記背部布（７）にＶ字状に一体的に縫合されている。
前記２本の肩紐（５Ａ，５Ｂ）が略直角のＶ字状に縫合されており、また肩位置からＶ字状に交差する前記Ｖ字縫合部（８）を前記背部布（７）と一体的に縫合して固定されていることによって、体が動いた場合でも、肩の方向性を常に一定に定めやすい。つまり、運動時に前記２本の肩紐（５Ａ，５Ｂ）がずれにくい。すなわち、図１０を参照すると、前記背部布（７）は縦糸（Ｖ）と横糸（Ｈ）が共に伸縮性を有していると、体が動いて前記２本の肩紐（５Ａ、５Ｂ）に、水平方向に対してθ度傾いた方向に長さＤだけ延びるように縦糸（Ｖ）と横糸（Ｈ）に力（ベクトルＤ）が加わると仮定すると、縦糸（Ｖ）の弾性力（ＦＶ）はＦＶ＝ｋ・Ｄ・ｓｉｎθで表され、横糸（Ｈ）の弾性力（ＦＨ）はＦＨ＝ｋ・Ｄ・ｃｏｓθで表され、二つの弾性力（ＦＶ）、（ＦＨ）を合成した力（ベクトルＤの逆向きのベクトル（即ち、マイナスベクトルＤ））が発生する（ｋはバネ常数）。
【００２８】
前記２本の肩紐（５Ａ，５Ｂ）を幅広の伸縮性紐状部材で形成して、前記ブラジャー（１）に縫合されている。体に装着された前記ブラジャー（１）が肩甲骨や筋肉、又は皮膚の動きに自然に追随するために、本発明では伸縮性と体にぴったりと適合することに優れた幅広（例えば、２０ｍｍ〜３０ｍｍ）の前記２本の肩紐（５Ａ，５Ｂ）を採用している。更に、伸縮性を最大限活用するために、前記ブラジャー（１）の縁部（前記左右２枚のカップ部（２Ａ，２Ｂ）の左右外側の側部（ＯＳ））に沿って前記２本の肩紐（５Ａ，５Ｂ）の一側縁を縫合している。縫合部分から前記２本の肩紐（５Ａ，５Ｂ）の他側縁までの残りの部分は縫合されていないため、伸縮作用を十分に発揮できるようにフリーになっている。
また、前記２本の肩紐（５Ａ，５Ｂ）のフリー部分の幅が短すぎると、十分に伸縮性が得られない可能性があり、長すぎると十分な伸縮性は得られるものの、幅が太くなりすぎて体にぴったりと適合しにくくなる。このような理由から、十分な伸縮性と体にぴったりと適合しやすいという両方を満たすことができる。
【００２９】
前記２本の肩紐（５Ａ，５Ｂ）に用いられる素材は特に限定されないが、融通性を高めるために、縦横方向に自在に伸縮する素材を用いるのが好ましい。ブラジャー（１）全体が縦横方向の伸縮性に優れていると、装着感に不自然感がなく、容易に体に馴染むものである。さらに、人の体に接触する裏面をパイル編みとすることにより、肌触りを良くすることもできる。
【００３０】
帯状の前記２本のテープ（６Ａ，６Ｂ）は前記背部布（７）の上縁に沿って縫合され、前記２本のテープ（６Ａ，６Ｂ）のそれぞれの一端は前記２本の肩紐（５Ａ，５Ｂ）のそれぞれの前記Ｖ字縫合部（８）近傍に縫合され、それぞれの他端は前記左右２枚の脇布（４Ａ，４Ｂ）それぞれに縫合され、前記２枚のカップ台（３Ａ，３Ｂ）の始端部と縫合されている。
【００３１】
前記２本のテープ（６Ａ，６Ｂ）のそれぞれ一端が前記２枚のカップ台（３Ａ，３Ｂ）と直接縫合されることで、前記２本のテープ（６Ａ，６Ｂ）と前記左右２枚の脇布（４Ａ，４Ｂ）の間に隙間（９）が設けられ、前記２本のテープ（６Ａ，６Ｂ）のそれぞれの一端から交差している３箇所に伸びや引っ張り力を分散させることができ、そして人体の動きにスムーズに対応でき、着用性においても優れている。
【００３２】
前記２本の肩紐（５Ａ，５Ｂ）と同様に幅広（例えば、２０ｍｍ〜３０ｍｍ）の伸縮性部材で形成し、ブラジャー（１）の適所に縫合している。（図１及び図２参照）
前記２本のテープ（６Ａ，６Ｂ）に用いられる素材は特に限定されないが、融通性を高めるために、縦横方向に自在に伸縮する素材を用いるのが好ましい。ブラジャー（１）全体が縦横方向の伸縮性に優れていると、装着感に不自然感がなく、容易に体に馴染むものである。さらに、人の体に接触する裏面をパイル編みとすることにより、肌触りを良くすることもできる。
【００３３】
前記背部布（７）は、前記２本のテープ（６Ａ，６Ｂ）と前記２本の肩紐（５Ａ，５Ｂ）の端部が縫合されており、前記背部布（７）にはフックアイ（１０）が設けられている。前記フックアイ（１０）は必ず設ける必要はなく、ヨガや就寝時等で体を仰向けにしても違和感なく着用できるよう前記フックアイ（１０）を設けなくても本発明の効果を十分に発揮することができる（図８参照）。
【００３４】
図３及び図４を参照して、本発明に係わるブラジャー（１）の前記脇布（４）と前記テープ（６）の構成を具体的に説明する。図４の（ａ）において参照符号（Ｘ）は要部構造を示しており、参照符号（Ｘ）を背面から見た部分斜視図である。（ｂ）は図３のブラジャー（１）における前記脇布（４）と前記肩紐（５）と前記テープ（６）の関係性を示す要部説明図である。
前記テープ（６）は前記脇布（４）に重なるように構成されているが、前記脇布（４）とは縫合せず、前記カップ台（３）と縫合されている。前記テープ（６）が前記脇布（４）に縫合されていないことによって、前記テープ（６）と前記脇布（４）の間に隙間（９）が設けられ、前記カップ台（３）が体の捩りの動き等により引っ張られたときに前記テープ（６）を伝わって、前記肩紐（５）にも伝わり、力を分散させるという本発明の効果を十分に発揮することができる。（図４の（ｂ）参照）。
例えば、前記テープ（６）が前記脇布（４）と縫合されていると、前記テープ（６）と前記脇布（４）との間に隙間（９）ができないので、前記２枚のカップ台（３）から引っ張り力が加わっても、前記脇布（４）によって伝わりにくくなっていまい、効果を十分に発揮することができない。すなわち、この効果は隙間が設けられることで初めて発揮される伸縮効果である。
従って、前記テープ（６）の一端が前記カップ台（３）と直接縫合されることで、前記テープ（６）と前記脇布（４）の間に隙間（９）が設けられることで、伸縮作用を十分に発揮できるので、前記テープ（６）の一端からそれぞれ交差している３箇所に伸びや引っ張り力を分散させることができ、そして人体の動きにスムーズに対応でき、着用性においても優れた効果を発揮する。
【００３５】
図６及び図７を参照して、本発明に係わるブラジャー（１）の前記肩紐（５）と前記テープ（６）による運動追随性を具体的に説明する。
肩甲骨（１１）は鎖骨（１２）と上腕骨（１３）のみに接続され、他の骨とは接続されていない。従って、前記肩甲骨（１１）は固定されず体の動きに追随する。そのため、腕を上げると、図６の（ｂ）に矢符で示すように、背中心から脇方向に引き上げる力が働いて、ブラジャー装着時に前記ブラジャー（１）が矢符方向に引っ張られる。
しかし、前記２本の肩紐（５Ａ，５Ｂ）のＶ字縫合部（８）で肩方向と脇方向とに引き合う力が働いて、肩甲骨（１１）の動きによる前記２本の肩紐（５Ａ，５Ｂ）にかかる引張り力を分散させることができる。そのため、前記２本の肩紐（５Ａ，５Ｂ）の位置がずれることを防ぐ。更に、前記２本の肩紐（５Ａ，５Ｂ）から前記２本のテープ（６Ａ，６Ｂ）にも引張り力が伝わり、力が分散される。それにより肩甲骨（１１）の動きに追随でき、肩、脇、背筋、ブラジャーのアンダー等にかかる力の負担をそれぞれが交差する位置で分散させることができるため、本発明の請求項２の構成による作用効果を発揮し、着用性において請求項１と請求項２の相乗効果を発揮する。
【００３６】
因みに、従来の肩紐は、図１１に示すものでは肩紐はブラジャー本体と一体的に設けられており、ブラジャー本体が縦伸び、横伸びの伸縮作用のある素材を用いているため、肩甲骨が動いたときにかかる斜め方向の力に対しては考慮されていない。つまり、肩甲骨の動きに沿って力を分散させるといった効果は全くないものである。
【００３７】
図９を参照して、本発明に係わるブラジャー（１）の前記カップ部（２）と前記カップ台（３）による運動追随性を具体的に説明する。
前記２枚のカップ台（３Ａ，３Ｂ）が前記カップ部（２）の下部において、図９に示すように重なっていることにより、前記カップ台（３）の部分は生地が二重になるため、前記ブラジャー（１）の保持力が高く、体の安定性を高めることができる。
また、前記右カップ台（３Ａ）と前記左カップ台（３Ｂ）は縫合されておらず、それぞれ独立した状態で遊離しているため、前記右カップ部（２Ａ）は前記右カップ台（３Ａ）の存在により、前記左カップ部（２Ｂ）は前記左カップ台（３Ｂ）の存在により、それぞれ融通性を有している。従って、腕を上下や前後に動かしたり、体を捩じらせる等、特に胸部を捩じらせる上半身の運動を要する通常の家事労働の際にも、前記カップ部（２）が人体の動きにもスムーズに対応できるので、前記カップ部（２）と乳房の位置がずれることはない。即ち、家事労働などの時に、前記カップ部（２）と乳房の位置がずれることを防ぐという効果を発揮する。
【００３８】
また、図１及び図２に示す第１実施形態においては、前記右カップ台（３Ａ）の右上縁部（３１）の長さが前記右カップ部（２Ａ）の下縁部（２ＡＬ）の長さよりもやや短く、前記左カップ台（３Ｂ）の左上縁部（３２）の長さが左カップ部（２Ｂ）の下縁部（２ＢＬ）の長さよりもやや短くされているため、前記左右２枚のカップ台（３Ａ，３Ｂ）を重ねると前記ブラジャー（１）の前中心に隙間（１４）が形成されることとなり、これにより前記ブラジャー（１）の通気性が高められるとともに、前記カップ部（２）の融通性も高められる。更に第１実施形態のように前記右カップ台（３Ａ）の右側部を左側部よりもやや短く、前記左カップ台（３Ｂ）の左側部をやや短くすると、前記右カップ台（３Ａ）と前記左カップ台（３Ｂ）がＸ字状に交差することとなるので、前記カップ部（２）の融通性をより高めることができる。また、第１実施形態においては、前記右カップ台（３Ａ）が前記左カップ台（３Ｂ）に重なっているが、必ずしも前記右カップ台（３Ａ）が上になる必要はない。例えば、前記左カップ台（３Ｂ）が前記右カップ台（３Ａ）の上に重なるようにしてもよい。
【００３９】
本発明では、前記カップ台（３）同士が縫合されず、それぞれ独立した状態で遊離しているが、前記カップ台（３）同士が縫合されていても効果を発揮することが可能であるので、このようなものはもちろん本発明に含まれている。
前記カップ台（３）同士が縫合されていても、前記肩紐（５）と前記テープ（６）が３箇所で交差するという構成要件を満たされていれば、肩、脇、背筋、ブラジャーのアンダー等にかかる力の負担をそれぞれが交差する位置で分散させることができるため、運動追随性機能を十分に発揮することができる。
【産業上の利用可能性】
【００４０】
本発明によれば、使用者が運動状態にあるときのみならず、静止状態にあるときも体にぴったり適合することができ、またブラジャーにかかる力の負担を分散することで、肩甲骨の動きを妨げず、人体の動きにスムーズに対応できる、着用性に優れた運動追随性ブラジャーとすることができる。
【符号の説明】
【００４１】
１    運動追随性ブラジャー
２    カップ部
２Ａ  右カップ部
２Ｂ  左カップ部
２ＡＬ  右カップ部下縁部
２ＢＬ  左カップ部下縁部
３    カップ台
３Ａ  右カップ台
３Ｂ  左カップ台
４    脇布
４Ａ  右脇布
４Ｂ  左脇布
５    肩紐
５Ａ  右肩紐
５Ｂ  左肩紐
６    テープ
６Ａ  右テープ
６Ｂ  左テープ
７    背部布
８    Ｖ字縫合部
９    テープと脇布間の隙間
１０  フックアイ
１１  肩甲骨
１２  鎖骨
１３  上腕骨
１４  カップ台の隙間
ＩＳ  カップ部内側の側部
ＯＳ  カップ部外側の側部
３１  カップ台の右上縁部
３２  カップ台の左上縁部
ＦＶ、ＦＨ  弾性力
【図１】
2018193644.tif 000003
【図２】
2018193644.tif 000004
【図３】
2018193644.tif 000005
【図４】
2018193644.tif 000006
【図５】
2018193644.tif 000007
【図６】
2018193644.tif 000008
【図７】
2018193644.tif 000009
【図８】
2018193644.tif 000010
【図９】
2018193644.tif 000011
【図１０】
2018193644.tif 000012
【図１１】
2018193644.tif 000013
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
左右１対のカップ部、前記カップ部の下部に位置する左右２枚のカップ台、及び左右２枚の脇布を含み、
前記左右２枚のカップ台が、右カップ部の下縁部と前記左右２枚の脇布が縫合されてなる右カップ台及び、左カップ部の下縁部と前記左右２枚の脇布に縫合されてなる左カップ台であり、前記右カップ台と前記左カップ台は縫合されておらず、それぞれ独立した状態で遊離し、
前記左右２枚の脇布同士が１枚の背部布を介して連結され、前記左右２枚の脇布のそれぞれに一端が連結された２本の肩紐の他端同士が前記背部布にＶ字状に一体的に縫合されており、
前記背部布の上縁に沿って、帯状の２本のテープが縫合され、前記２本のテープのそれぞれの一端は前記２本の肩紐のそれぞれのＶ字縫合部近傍に縫合され、それぞれの他端は
前記左右２枚の脇布のそれぞれに縫合されることなく、前記左右２枚のカップ台の両側の端部と縫合されていることを特徴とする運動追随性ブラジャー。
【請求項２】
前記右カップ台と前記左カップ台がＸ字状に交差しており、前中心に隙間が設けられていることを特徴とする請求項１に記載の運動追随性ブラジャー。
【請求項３】
前記左右２枚のカップ台、前記２本の肩紐及び前記２本のテープが伸縮性の素材からなることを特徴とする請求項１又は請求項２のいずれか一項に記載の運動追随性ブラジャー。
【手続補正２】
【補正対象書類名】明細書
【補正対象項目名】０００３
【補正方法】変更
【補正の内容】
【０００３】
しかし、特許文献１は、左右のカップ台と背部布を連動させるという発想自体がなく、左右２枚の脇布は左右２枚のカップ部の上縁部と左右２枚のカップ台の両側の端部とを隙間なく縫合しているので、伸びや引っ張り力を逃がすことが出来ず、また２本の肩紐（２５）が肩甲骨周辺に位置しているので、肩甲骨の動きを妨げるという問題があった。
【手続補正３】
【補正対象書類名】明細書
【補正対象項目名】０００８
【補正方法】変更
【補正の内容】
【０００８】
本発明の第１の態様は、左右１対のカップ部、前記カップ部の下部に位置する左右２枚のカップ台、及び左右２枚の脇布を含み、前記左右２枚のカップ台が、右カップ部の下縁部と前記左右２枚の脇布が縫合されてなる右カップ台及び、左カップ部の下縁部と前記左右２枚の脇布に縫合されてなる左カップ台であり、前記右カップ台と前記左カップ台は縫合されておらず、それぞれ独立した状態で遊離し、前記左右２枚の脇布同士が１枚の背部布を介して連結され、前記左右２枚の脇布のそれぞれに一端が連結された２本の肩紐の他端同士が前記背部布にＶ字状に一体的に縫合されており、前記背部布の上縁に沿って、帯状の２本のテープが縫合され、前記２本のテープのそれぞれの一端は前記２本の肩紐のそれぞれのＶ字縫合部近傍に縫合され、それぞれの他端は前記左右２枚の脇布のそれぞれに縫合されることなく、前記左右２枚のカップ台の両側の端部と縫合されていることを備えている請求項１に記載の運動追随性ブラジャーに関する。
【手続補正４】
【補正対象書類名】明細書
【補正対象項目名】００１０
【補正方法】変更
【補正の内容】
【００１０】
本発明の第３の態様は、前記左右２枚のカップ台、前記２本の肩紐及び前記２本のテープが伸縮性の素材からなることを特徴とする請求項３に記載の運動追随性ブラジャーに関する。
【手続補正５】
【補正対象書類名】明細書
【補正対象項目名】００１１
【補正方法】変更
【補正の内容】
【００１１】
本発明の請求項１によれば、前記左右１対のカップ部、前記カップ部の下部に位置する前記左右２枚のカップ台、及び前記左右２枚の脇布を含み、前記左右２枚のカップ台が、前記右カップ部の下縁部と前記左右２枚の脇布が縫合されてなる前記右カップ台及び、前記左カップ部の下縁部と前記左右２枚の脇布に縫合されてなる前記左カップ台であり、前記右カップ台と前記左カップ台は縫合されておらず、それぞれ独立した状態で遊離し、前記左右２枚の脇布同士が１枚の前記背部布を介して連結され、前記左右２枚の脇布のそれぞれに一端が連結された前記２本の肩紐の他端同士が前記背部布にＶ字状に一体的に縫合されており、前記背部布の上縁に沿って、帯状の前記２本のテープが縫合され、前記２本のテープのそれぞれの一端は前記２本の肩紐のそれぞれの前記Ｖ字縫合部近傍に縫合され、それぞれの他端は前記左右２枚の脇布のそれぞれに縫合されることなく、前記２枚のカップ台の両側の端部と縫合されていることを構成要件としていることから、以下のような効果を奏する。
【手続補正６】
【補正対象書類名】明細書
【補正対象項目名】００１２
【補正方法】変更
【補正の内容】
【００１２】
スポーツやトレーニング等に使う肩甲骨の中心に前記２本の肩紐が沿うように構成されており、前記２本の肩紐と前記２本のテープは３箇所で交差していることによって、肩、脇、背筋、ブラジャーのアンダー等にかかる力の負担をそれぞれが交差する位置で分散させることで、人体の動きにスムーズに対応でき、着用性においても優れた効果を奏する。
また、前記２本のテープが前記左右２枚のカップ台と縫合されていることで、脇から背中心方向に伸びるので、静止状態にあるときも体にぴったりと適合するこという優れた効果も奏する。
【手続補正７】
【補正対象書類名】明細書
【補正対象項目名】００１３
【補正方法】変更
【補正の内容】
【００１３】
更に、請求項１によれば、それぞれの他端は前記左右２枚の脇布のそれぞれに縫合されることなく、前記左右２枚のカップ台の両側の端部と縫合されることを構成要件としていることから、以下のような効果を奏する。
【手続補正８】
【補正対象書類名】明細書
【補正対象項目名】００１４
【補正方法】変更
【補正の内容】
【００１４】
例えば、前記２本のテープのそれぞれの一端を前記左右２枚の脇布と縫合すると、前記２本のテープから伸びや引っ張り力を前記左右２枚のカップ台に伝えることができず、力の負担を分散させることができない。しかし、前記２本のテープのそれぞれの一端が前記左右２枚のカップ台と直接縫合されることで、伸縮作用を十分に発揮できるので、前記２本のテープのそれぞれの一端から交差している３箇所に伸びや引っ張り力を分散させることができ、そして人体の動きにスムーズに対応する、着用性においても優れた効果を奏する。
【手続補正９】
【補正対象書類名】明細書
【補正対象項目名】００１６
【補正方法】変更
【補正の内容】
【００１６】
前記左右１対のカップ部の下部に前記左右２枚のカップ台が位置していることにより、前記左右２枚のカップ台の部分は生地が二重になるため、ブラジャーの保持力が高く、ブラジャーの身体への安定性を高めることができる。また、前記右カップ台は前記右カップ部の下縁部と前記左右２枚の脇布に縫合されており、前記左カップ台は前記左カップ部の下縁部と前記左右２枚の脇布に縫合されているので、前記右カップ台と前記左カップ台は縫合されず、それぞれ独立した状態で遊離することとなる。従って、前記２枚のカップ部が融通性を有しており、腕を上下や前後に動かしたり、体を捩じらせたりする際や家事などの通常の運動時に、人体の動きにスムーズに対応できるので、前記左右１対のカップ部と乳房の位置がずれることはない。つまり静止状態では、ブラジャーは前記左右２枚のカップ台により体に安定して固定されており、通常の家事労働の際には、前記左右２枚のカップ台が乳房の動きに追随して前記左右１対のカップ部と乳房の位置ずれを防ぐことができるので、着用性において優れた効果を奏する。
【手続補正１０】
【補正対象書類名】明細書
【補正対象項目名】００１７
【補正方法】変更
【補正の内容】
【００１７】
本発明の請求項３によれば、前記左右２枚のカップ台、前記２本の肩紐及び前記２本のテープが伸縮性の素材からなることを構成要件としているので、前記左右１対のカップ部の融通性をより高めるという優れた効果を奏する。
【手続補正１１】
【補正対象書類名】明細書
【補正対象項目名】００２０
【補正方法】変更
【補正の内容】
【００２０】
図１乃至図３を参照すると、本発明に係る運動追随性ブラジャー（１）（以下、単に「ブラジャー（１）」と記載する）は、前記左右１対のカップ部（２Ａ，２Ｂ）、この前記左右１対のカップ部（２Ａ，２Ｂ）の下部に位置する前記左右２枚のカップ台（３Ａ，３Ｂ）、前記左右２枚の脇布（４Ａ，４Ｂ）、前記２本の肩紐（５Ａ，５Ｂ）、帯状の前記２本のテープ（６Ａ，６Ｂ）、及び背部布（７）からなる。
【手続補正１２】
【補正対象書類名】明細書
【補正対象項目名】００２１
【補正方法】変更
【補正の内容】
【００２１】
前記左右１対のカップ部（２Ａ，２Ｂ）はそれぞれ外側の側部（ＯＳ）が前記肩紐（５Ａ，５Ｂ）と縫合され、内側の側部（ＩＳ）はそれぞれ左右１対のカップ部（２Ａ，２Ｂ）同士と互いに縫合されており、下端部は前記左右２枚のカップ台（３Ａ，３Ｂ）と縫合されている。
【手続補正１３】
【補正対象書類名】明細書
【補正対象項目名】００２６
【補正方法】変更
【補正の内容】
【００２６】
前記左右２枚の脇布（４Ａ，４Ｂ）のそれぞれに前記背部布（７）の一端が沿うよう縫合されている（図２参照）。また、前記背部布（７）と前記左右２枚の脇布（４Ａ，４Ｂ）は前記左右２枚のカップ台（３Ａ，３Ｂ）の両側の端部と一体的に縫合されている（図１参照）。
図２を参照すると、前記左右２枚の脇布（４Ａ，４Ｂ）には前記背部布（７）の一部と前記背部布（７）に縫合されている前記２本のテープ（６Ａ，６Ｂ）のそれぞれの一端が重なっているが、隙間なく縫合されておらず、前記左右２枚の脇布（４Ａ，４Ｂ）は前記２本のテープ（６Ａ，６Ｂ）のそれぞれの一端とは縫合されていない。従って、前記左右２枚の脇布（４Ａ，４Ｂ）が前記２本のテープ（６Ａ，６Ｂ）のそれぞれの一端と縫合されていないことで、前記左右２枚の脇布（４Ａ，４Ｂ）と前記２本のテープ（６Ａ，６Ｂ）の間に隙間（９）が設けられ、前記２本のテープ（６Ａ，６Ｂ）のそれぞれの一端から交差している３箇所に伸びや引っ張り力を分散させることができ、そして人体の動きにスムーズに対応でき、着用性においても優れている。
【手続補正１４】
【補正対象書類名】明細書
【補正対象項目名】００３０
【補正方法】変更
【補正の内容】
【００３０】
帯状の前記２本のテープ（６Ａ，６Ｂ）は前記背部布（７）の上縁に沿って縫合され、前記２本のテープ（６Ａ，６Ｂ）のそれぞれの一端は前記２本の肩紐（５Ａ，５Ｂ）のそれぞれの前記Ｖ字縫合部（８）近傍に縫合され、それぞれの他端は前記左右２枚のカップ台（３Ａ，３Ｂ）の両側の端部と縫合されている。
【手続補正１５】
【補正対象書類名】明細書
【補正対象項目名】００３１
【補正方法】変更
【補正の内容】
【００３１】
前記２本のテープ（６Ａ，６Ｂ）のそれぞれ一端が前記左右２枚のカップ台（３Ａ，３Ｂ）と直接縫合されることで、前記２本のテープ（６Ａ，６Ｂ）と前記左右２枚の脇布（４Ａ，４Ｂ）の間に隙間（９）が設けられ、前記２本のテープ（６Ａ，６Ｂ）のそれぞれの一端から交差している３箇所に伸びや引っ張り力を分散させることができ、そして人体の動きにスムーズに対応でき、着用性においても優れている。
【手続補正１６】
【補正対象書類名】明細書
【補正対象項目名】００３４
【補正方法】変更
【補正の内容】
【００３４】
図３及び図４を参照して、本発明に係わるブラジャー（１）の前記脇布（４）と前記テープ（６）の構成を具体的に説明する。図４の（ａ）において参照符号（Ｘ）は要部構造を示しており、参照符号（Ｘ）を背面から見た部分斜視図である。（ｂ）は図３のブラジャー（１）における前記脇布（４）と前記肩紐（５）と前記テープ（６）の関係性を示す要部説明図である。
前記テープ（６）は前記脇布（４）に重なるように構成されているが、前記脇布（４）とは縫合せず、前記カップ台（３）と縫合されている。前記テープ（６）が前記脇布（４）に縫合されていないことによって、前記カップ台（３）が体の捩りの動き等により引っ張られたときに前記テープ（６）を伝わって、前記肩紐（５）にも伝わり、力を分散させるという本発明の効果を十分に発揮することができる。（図４の（ｂ）参照）。
例えば、前記テープ（６）が前記脇布（４）と縫合されていると、前記２枚のカップ台（３）から引っ張り力が加わっても、前記脇布（４）によって伝わりにくくなっていまい、効果を十分に発揮することができない。
従って、前記テープ（６）の一端が前記カップ台（３）と直接縫合されることで、伸縮作用を十分に発揮できるので、前記テープ（６）の一端からそれぞれ交差している３箇所に伸びや引っ張り力を分散させることができ、そして人体の動きにスムーズに対応でき、着用性においても優れた効果を発揮する。